(57)【特許請求の範囲】
【請求項１】
ユーザーにデータサービスプランを提供するシステムであって、
少なくとも１つのウェブリソースにアクセスするユーザーデバイスを監視し、ユーザーアクセスデータを生成するよう構成されたウェブリソーストラフィックモニターと、
前記ユーザーアクセスデータを受信し、前記少なくとも１つのウェブリソースに対するその後のアクセスのためのデータサービスプランを前記ユーザーに推薦するよう構成されたデータサービスプランナーとを備え、
前記データサービスプランは、特定期間毎に課金するデータサービスプラン又はアクション毎に課金するデータサービスプランを含み、
前記ウェブリソーストラフィックモニターは、前記ウェブリソースが前記ユーザーデバイスによって初めてアクセスされたかを判定するよう構成され、
前記ウェブリソースが初めてアクセスされた場合、前記ウェブリソースは、その後の所定時間内において費用負担なしでアクセスが可能であり、
前記所定時間の長さは、前記ウェブリソースのタイプに基づいて決定されることを特徴とするシステム。
【請求項２】
請求項１に記載のシステムにおいて、
前記ウェブリソーストラフィックモニターは、前記ユーザーデバイスと一体化されていることを特徴とするシステム。
【請求項３】
請求項２に記載のシステムにおいて、
前記ウェブリソーストラフィックモニターは、前記ユーザーデバイス上で前記少なくとも１つのウェブリソースに対するアクセスを監視するバックグラウンドアプリケーションとして動作するよう構成されたことを特徴とするシステム。
【請求項４】
請求項１に記載のシステムにおいて、
前記所定時間の長さは、ソーシャルネットワーキングによって提供される情報に基づいて決定されることを特徴とするシステム。
【請求項５】
請求項１に記載のシステムにおいて、
前記ウェブリソースは、前記ウェブリソースに対するその後の所定回数のアクセスについて前記ユーザーに対する費用負担なしでアクセス可能であることを特徴とするシステム。
【請求項６】
請求項１に記載のシステムにおいて、
前記ウェブリソースが前記ユーザーによる初めてのアクセスでない場合、前記ウェブリソーストラフィックモニターは、前記少なくとも１つのウェブリソースに対する以前のアクセスと、前記少なくとも１つのウェブリソースに対する最新のアクセスとの間の時間差を判定するよう構成されたことを特徴とするシステム。
【請求項７】
請求項６に記載のシステムにおいて、
前記時間差が所定期間より大きい場合、前記ウェブリソースに対するその後のアクセスは、所定時間内において前記ユーザーに対する費用負担なしで利用可能であることを特徴とするシステム。
【請求項８】
請求項１に記載のシステムにおいて、
前記データサービスプランナーは、前記ユーザーがデータサービスプランの既存の契約者であるかをチェックするために契約者データベースとのデータ通信を行うことを特徴とするシステム。
【請求項９】
請求項１に記載のシステムにおいて、
前記ウェブリソーストラフィックモニターとのデータ通信を行うホワイトリストを更に備え、前記ホワイトリストは、前記ユーザーデバイスによる無料通話のアクセスで利用可能なウェブリソースのリストを保持することを特徴とするシステム。
【請求項１０】
請求項１に記載のシステムにおいて、
前記ウェブリソースにアクセスするその後のアクションの各々は、データを取得、入力又は操作するアクションを含むことを特徴とするシステム。
【請求項１１】
請求項１０に記載のシステムにおいて、
データを取得、入力又は操作するアクションの各々は、その後のアクションの定義されたセットについて定額料金が請求又は課金されることを特徴とするシステム。
【請求項１２】
ウェブリソーストラフィックモニターとデータサービスプランナーとを備えたシステムによりユーザーにデータサービスプランを提供する方法であって、
前記ウェブリソーストラフィックモニターが、少なくとも１つのウェブリソースに対するユーザーのアクセスを監視するステップと、
前記データサービスプランナーが、前記ウェブリソースに対する前記ユーザーのアクセスに基づいて、前記少なくとも１つのウェブリソースに対するその後のアクセスのためのデータサービスプランを推薦するステップとを有し、
前記データサービスプランは、特定期間毎に課金するデータサービスプラン又はアクション毎に課金するデータサービスプランを含み、
前記監視するステップは、前記ウェブリソースが前記ユーザーによって初めてアクセスされたかを判定することを含み、
前記ウェブリソースが初めてアクセスされた場合、前記ウェブリソースは、その後の所定時間内において前記ユーザーに対する費用負担なしでアクセス可能であり、
前記所定時間の長さは、前記ウェブリソースのタイプに基づいて決定されることを特徴とする方法。
【請求項１３】
請求項１２に記載の方法において、
前記ウェブリソースに対する前記ユーザーのアクセスを監視するステップは、ユーザーデバイス上で実行されることを特徴とする方法。
【請求項１４】
請求項１２に記載の方法において、
前記所定時間の長さは、ソーシャルネットワーキングによって提供される情報に基づいて決定されることを特徴とする方法。
【請求項１５】
請求項１２に記載の方法において、
前記ウェブリソースは、前記ウェブリソースに対するその後の所定回数のアクセスについて前記ユーザーに対する費用負担なしでアクセス可能であることを特徴とする方法。
【請求項１６】
請求項１２に記載の方法において、
前記ウェブリソースが前記ユーザーによる初めてのアクセスでない場合に、前記少なくとも１つのウェブリソースに対する以前のアクセスと、前記少なくとも１つのウェブリソースに対する最新のアクセスとの間の経過時間を判定するステップを更に有することを特徴とする方法。
【請求項１７】
請求項１６に記載の方法において、
前記経過時間が所定期間より大きい場合、前記ウェブリソースは、所定時間内において前記ユーザーに対する費用負担なしでアクセス可能であることを特徴とする方法。
【請求項１８】
請求項１２に記載の方法において、
前記推薦するステップは、前記ユーザーがデータサービスプランの既存の契約者であるかをチェックするステップを含むことを特徴とする方法。
【発明の詳細な説明】
【技術分野】
【０００１】
本発明は、モバイルデバイスのユーザーに対する製品及びサービスの販売を促進するためのシステム及び方法に関する。特に、本発明は、モバイルデバイスのユーザーに対するプリペイドプラン及び関連するサービスの販売を促進するために適している。
【背景技術】
【０００２】
本発明の背景に係る以下の説明は、本発明の理解を手助けすることを単に意図している。この説明は、参照する資料のいずれも、本発明の優先日に管轄区において公開され、周知であり、または当業者の技術常識の一部であったと承認し、または自認するものではないことが理解されるべきである。
【０００３】
インターネットサービスに対するプリペイドの契約者は、概して費用に敏感であり、ポストペイドの契約者にとって容易に利用可能な「常時オン」のインターネットやデータ接続の贅沢に支払う余裕は一般的に少ない。このような「常時オン」のインターネット接続は、概して月額パッケージで約＄３０が請求され、１日当たり約＄１の計算となる。他の人気のバリエーションは、１ＧＢの上限がある１日当たり１＄や、２０ＭＢの上限がある１日当たり＄０．２５である。
【０００４】
インターネット／データアクセスの比較的高い費用を軽減し、プリペイドマーケットのシェアを拡大するために、通信事業者（「電気通信会社」）のようなサービス又はネットワークのプロバイダーは多様なプリペイドプラン及び関連する課金構造を提供してきた。プランと課金構造の様々な組み合わせは、プリペイドのユーザーに対するインターネットサービスを提供する費用をダウンさせることを目標としている。これらのプランは、より典型的な１日当たり＄１と比べて異なる請求／課金方式を採用している。上記ではプリペイドの契約者の様々なニーズに適した多様なプランを提供するものの、膨大なタイプのオプションに直面するプリペイドの契約者が、購入する製品及びサービスのタイプについて十分な情報を得た上で決定できるように、プリペイドの契約者を支援する必要性が絶えず存在する。更に、プリペイドのユーザーに対する特定のウェブ製品又はサービスを伴うプリペイドプランをカスタマイズ又はオーダーメイドする必要がある。
【発明の概要】
【発明が解決しようとする課題】
【０００５】
本発明は、上記要求の少なくとも一部を満たすことを目指す。
【課題を解決するための手段】
【０００６】
本発明者らは、モバイルデバイス（例えばスマートフォン）上とパーソナルコンピュータ（ＰＣ）上でのユーザーの行動における特有の違いに言及する。典型的には、スマートフォンのようなモバイルデバイスを使用する人は、特定のソフトウェアアプリケーション（口語的に「アプリ」と称する）を起動し又はインターネットに接続するための特定の通知に従って行動する一方で、デスクトップＰＣやノートＰＣを使用する人は、概して最初にインターネットブラウザを起動し、メッセンジャー及び／又は電子メールのアプリがバックグラウンドで自動的にオープンする。
【０００７】
上記の洞察を活かして、本発明者らは本発明を開発した。専用ソフトウェアアプリケーションの一側面は、ユーザーのためのデータサービスプランのカスタマイズや推薦のために、スマートフォンにインストールしてウェブリソースに対するユーザーのアクセスを監視するのに特に適している（但し、これに限定されない）。スマートフォンとしては、その購入時にソフトウェアアプリケーションがプリインストールされたものでもよく、購入後に無料でダウンロードされたものでもよい。
【０００８】
本発明の一側面によると、ウェブリソースに対するユーザーのアクセスを監視するステップと、前記ウェブリソースに対する前記ユーザーのアクセスに基づいて適切なデータサービスプランを推薦するステップとを有する、モバイルデバイスの契約者に対する製品及びサービスの販売を促進する方法が提供される。追加された特徴は、ウェブリソースのアクセスが初めてのアクセス又は休止期間後のアクセスである場合に、契約者に無料トライアル期間を提供することである。本方法は、自身のインターネット体験を損なうことなく、プリペイドの契約者に請求可能な価格の低下を目指して、これらプリペイドのユーザーに対する特定のプランのアクション／アプリの推薦を支援するのに特に有利である。
【０００９】
本発明の別の側面によれば、ユーザーにデータサービスプランを提供するシステムであって、少なくとも１つのウェブリソースにアクセスするユーザーデバイスを監視し、ユーザーアクセスデータを生成するよう構成されたウェブリソーストラフィックモニターと、前記アクセスデータを受信し、前記少なくとも１つのウェブリソースに対するその後の評価のためのデータサービスプランを前記ユーザーに推薦するよう構成されたデータサービスプランナーとを備え、前記データサービスプランは、特定期間毎に課金するデータサービスプラン又はアクション毎に課金するデータサービスプランを含むことを特徴とするシステムが提供される。
【００１０】
好ましくは、前記ウェブリソーストラフィックモニターは、前記ユーザーデバイスと一体化されている。
【００１１】
好ましくは、前記ウェブリソーストラフィックモニターは、前記ユーザーデバイス上で前記少なくとも１つのウェブリソースに対するアクセスを監視するバックグラウンドアプリケーションとして動作するよう構成される。
【００１２】
好ましくは、前記ウェブリソーストラフィックモニターは、前記ウェブリソースが前記ユーザーデバイスによって初めてアクセスされたかを判定するよう構成される。
【００１３】
好ましくは、前記ウェブリソースが初めてアクセスされた場合、前記ウェブリソースは、所定時間内において前記ユーザーに対する費用負担なしでその後のアクセスが可能である。
【００１４】
好ましくは、前記ウェブリソースが初めてアクセスされた場合、前記ウェブリソースは、前記ウェブリソースに対するその後の所定回数のアクセスについて前記ユーザーに対する費用負担なしでアクセス可能である。
【００１５】
好ましくは、前記ウェブリソースが前記ユーザーによる初めてアクセスでない場合、前記ウェブリソーストラフィックモニターは、前記少なくとも１つのウェブリソースに対する以前のアクセスと、前記少なくとも１つのウェブリソースに対する最新のアクセスとの間の時間差を判定するよう構成される。
【００１６】
好ましくは、前記時間差が所定期間より大きい場合、前記ウェブリソースに対するその後のアクセスは、所定時間内において前記ユーザーに対する費用負担なしで利用可能である。
【００１７】
好ましくは、前記データサービスプランナーは、前記ユーザーがデータサービスプランの既存の契約者であるかをチェックするために契約者データベースとのデータ通信を行う。
【００１８】
好ましくは、本システムは、前記ウェブリソーストラフィックモニターとのデータ通信を行うホワイトリストを更に備え、前記ホワイトリストは、前記ユーザーデバイスによる無料通話のアクセスで利用可能なウェブリソースのリストを保持する。
【００１９】
好ましくは、前記ウェブリソースにアクセスするその後のアクションの各々は、データを取得、入力又は操作するアクションを含む。
【００２０】
好ましくは、データを取得、入力又は操作するアクションの各々は、その後のアクションの定義されたセットについて定額料金が請求又は課金される。
【００２１】
本発明の別の側面によれば、ウェブリソースに対するユーザーのアクセスを監視するステップと、前記ウェブリソースに対する前記ユーザーのアクセスに基づいて、前記ウェブリソースに対するその後のアクセスのためのデータサービスプランを推薦するステップとを有し、前記データサービスプランは、特定期間毎に課金するデータサービスプラン又はアクション毎に課金するデータサービスプランを含むことを特徴とする、ユーザーにデータサービスプランを提供する方法が提供される。
【００２２】
好ましくは、前記ウェブリソースに対する前記ユーザのアクセスを監視するステップは、ユーザーデバイス上で実行される。
【００２３】
好ましくは、前記監視するステップは、前記ウェブリソースが前記ユーザーデバイスによって初めてアクセスされたかを判定することを含む。
【００２４】
好ましくは、前記ウェブリソースが初めてアクセスされた場合、前記ウェブリソースは、所定時間内において前記ユーザーに対する費用負担なしでアクセス可能である。
【００２５】
好ましくは、前記ウェブリソースが初めてアクセスされた場合、前記ウェブリソースは、前記ウェブリソースに対するその後の所定回数のアクセスについて前記ユーザーに対する費用負担なしでアクセス可能である。
【００２６】
好ましくは、前記ウェブリソースが前記ユーザーによる初めてアクセスでない場合に、前記少なくとも１つのウェブリソースに対する以前のアクセスと、前記少なくとも１つのウェブリソースに対する最新のアクセスとの間の経過時間を判定するステップを更に有する。
【００２７】
好ましくは、前記経過時間が所定期間より大きい場合、前記ウェブリソースは、所定時間内において前記ユーザーに対する費用負担なしでアクセス可能である。
【００２８】
好ましくは、前記推薦するステップは、前記ユーザがデータサービスプランの既存の契約者であるかをチェックするステップを含む。
【図面の簡単な説明】
【００２９】
【図１】図１は、少なくとも本発明の一実施形態に係るユーザー契約者に対する製品及びサービスの販売を促進するための方法のフローチャートである。
【図２】図２は、製品やサービスの無料トライアルが提供される、本発明の別の実施形態に係るユーザー契約者に対する製品及びサービスの販売を促進するための方法のフローチャートである。
【図３】図３は、本発明の別の実施形態に係るユーザー契約者に対する製品及びサービスの販売を促進するためのシステムのブロック図である。
【発明を実施するための形態】
【００３０】
以下、添付の図面を参照して、本発明を一例として説明する。
本発明は他の構成も可能であり、従って、添付の図面は前述の発明概念に優先すると理解されるべきではない。
【００３１】
ＵＲＬ、ＡＰＩ又は他のウェブサイト／ＩＰアドレスを含むウェブリソースへのアクセスにおける「無料アクセス」や「無料トライアル」は、「常時オン」のデータアクセスの無料通話に該当することが理解されるべきであり、すなわち、これらＵＲＬ、ＡＰＩ、ウェブサイト／ＩＰアドレスは、通信事業者やネットワークプロバイダーによりユーザーに無料で提供される。このような「常時オン」のデータアクセスは、例えばビデオ／オーディオファイルを含むデータの取得、入力又は操作を行うその後のアクションとは区別されるべきである。そのデータ自体に対するアクセスは無料通話かもしれないが、データの取得、入力又は操作を行うアクションには請求可能であってもよい。
【００３２】
更に、モバイルアプリケーション（「アプリ」）等のウェブリソースへのアクセスにおける「無料アクセス」は上記アプリのダウンロードに該当するが、ダウンロード／視聴／ストリーミング配信や他の機能を実行する上記「アプリ」の利用には請求可能であってもよい。
【００３３】
更に、前記説明における「インターネットアクセス」は、特に明記しない限り、ＧＰＲＳ、Enhanced Data rates for GSM Evolution（ＥＤＧＥ）、３Ｇ、ＬＴＥ、４Ｇネットワーク、Ｗｉ−Ｆｉテザリング等のようなモバイルデータインターネットサービスに一般的に該当することが理解されるべきである。
【００３４】
本実施形態に記載されているデータサービスプランの提供及び課金構造の様々な例は、次のように要約することができる。これらのデータサービスプランは、以下のように、特定期間毎に課金又はアクション毎に課金する課金構造を含む。
ｉ．常時オンのインターネット接続（ファイル共有やビデオストリーミング等の特定のアクティビティは許可されない）＝１日当たり＄０．２５〜＄０．５０（より典型的な１日当たり＄１の代わり）。
ｉｉ．Ｆａｃｅｂｏｏｋ（登録商標）やＩｎｓｔａｇｒａｍ（登録商標）等の選択されたウェブリソースのための常時オンのインターネット接続では、１日当たり＄０．１０を請求する。
ｉｉｉ．５ＭＢの上限があるＦａｃｅｂｏｏｋ（登録商標）やビデオ無しのＦａｃｅｂｏｏｋ（登録商標）等の特定の制約がある選択されたウェブリソースのための常時オンのインターネット接続では、１日あたり＄０．０５を請求する。
ｉｖ．特定のウェブリソースに一定回数アクセスするためのインターネット接続  −  例えば、１０回のＹｏｕｔｕｂｅビデオのダウンロードに対して＄０．２０を請求する。
ｖ．オフラインの使用を伴う特定のアクションのためのインターネット接続  −  例えば、ストリーミング配信／キャッシュされたビデオを３日以内にオフラインで再生できる１時間のビデオストリーミング（＄０．２０を請求する）、又はストリーミング配信されたビデオを１週間以内にオフラインで再生できる１日のビデオストリーミング（＄０．９９を請求する）。
【００３５】
上記の例は網羅的ではなく、他のハイブリッドの課金方式／構造を形成するように組み合わせ又は混合されてもよいことが理解されるべきである。更に、プリペイドのユーザーは、課金構造を別のものに交換するオプションが付与されてもよいことが理解されるべきである。このような構成は、特定期間毎に課金するモデルを実装した課金インフラと、アクション毎に課金するモデルを実装した独立の課金モジュールとを切り替えることでサポートしてもよい。
【００３６】
本発明の一実施形態によれば、ユーザーに対する製品及びサービスの販売を促進する方法が示される。
【００３７】
好ましくは、ネットワークプロバイダー又は通信事業者の契約者によるウェブリソースの嗜好やアクセスに基づく、前記契約者を対象にしたデータサービスプランを含む製品及びサービスの販売は、以下で更に詳述される。本実施形態は、プリペイドの契約者である契約者に特に適している。プリペイドの契約者は、データサービスプランに関連する費用に特に敏感な契約者のカテゴリーに属し、前記プランから最大の利益及び効用を引き出すことを望む。
【００３８】
ウェブリソースのアクセスやアクセス頻度等のデータは、スマートフォン等のユーザーデバイスにインストールされた専用ソフトウェアアプリケーションによって追跡及び監視することができる。スマートフォンはその起動時にスマートフォンにより実行される実行されるコンピュータプログラムを記憶する非一時的なコンピュータ可読媒体を備え、ソフトウェア（以下、「アプリ」と称する）がプリペイドの契約者ユーザーのスマートフォンでバックグラウンドで動作するよう構成され、その人のインターネットアクセスのパターンを確立するためにユーザのアクションを継続的に監視する。アプリはまた、課金目的のためにインターネットアクセスに費やした時間長を計算する能力がある。
【００３９】
図１に示す、ある特定の実施形態では、マートフォンのユーザーが、例えば、Ｉｎｓｔａｇｒａｍ（登録商標）アプリケーションの起動によるＩｎｓｔａｇｒａｍ（登録商標）等の画像共有プラットフォームのようなウェブリソースにアクセスする（ステップ１１０）。アプリは、以下の手順を処理するよう構成される。
ｉ．ウェブリソースにアクセスするユーザーのための所定位置にアクティブなデータサービスプランがあるかをバックエンドの契約者データベースでチェックする（ステップ１２０）。
ｉｉ．Ｉｎｓｔａｇｒａｍ（登録商標）が適切に動作する所定位置にアクティブなデータサービスプランがある場合には、アプリは何もしない（ステップ１３０）。
ｉｉｉ．所定位置にデータプランがない場合には、アプリは以下のような特定のプランの「クロスセル／アップセル」等を指示又は推薦する（ステップ１４０）。
ａ．Ｉｎｓｔａｇｒａｍ（登録商標）のために１日当たり＄０．１０（または、電気通信会社及び／又はサービスプロバイダーにより決定される他の任意の価格）を請求する常時オンのインターネット接続。
ｂ．１日当たり＄０．２５〜＄０．５０（または、電気通信会社及び／又はサービスプロバイダーにより決定される他の任意の価格）を請求する常時オンのインターネット接続。
または、ｃ．Ｉｎｓｔａｇｒａｍ（登録商標）アプリを含む、他の類似のソーシャルネットワーキングアプリとバンドルした形式の他のプラン。
【００４０】
推薦では、契約者ユーザーに対してアクションが指示される（ステップ１５０）。契約者が決定ステップ１６０に基づいて推薦を承諾する場合には、契約者は、トランザクションを完了するために必要な詳細及び情報を提供するよう指示される（ステップ１７０）。契約者が推薦を承諾しない場合には、応答が将来の参照及び推薦のために記録される（ステップ１８０）。なお、ステップ１７０での契約者の承諾も、将来の参照及び推薦のために記録されることが理解されるべきである。
【００４１】
別の実施形態では、ユーザー契約者は、ソーシャルメディアのプラットフォーム（例えばＦａｃｅｂｏｏｋ（登録商標）やＴｗｉｔｔｅｒ（登録商標））で「タグ付け」又は「言及」される形式で通知されてもよい。契約者は、アクティブなデータサービスプランを有しているか否かに関わらず、無料（すなわち、費用負担なし）で前記通知が提供されることが想定される。ユーザー契約者は、このようにして、ソーシャルメディアのプラットフォームで「タグ付け」又は「言及」の状態が通知される。
【００４２】
ユーザー契約者がフォローアップを望むならば、通知をクリックすればよい。通知をクリックすると、アプリは以下のように動作可能である。
ｉ．ユーザーのための所定位置に前記アプリの使用を許可するアクティブなデータプランがあるかを、バックエンドの契約者データベースに問い合わせる。
ｉｉ．所定位置にデータプランがある場合には、アプリは何もしない。
ｉｉｉ．所定位置にデータプランがない場合には、アプリは以下のような特定のプランを指示又は「クロスセル」する。
ａ．選択されたＩｎｓｔａｇｒａｍ（登録商標）やＴｗｉｔｔｅｒ（登録商標）のために１日当たり＄０．１０（または、電気通信会社及び／又はサービスプロバイダーにより決定される他の任意の価格）を請求する常時オンのインターネット接続。
ｂ．１日当たり＄０．２５〜＄０．５０（または、電気通信会社及び／又はサービスプロバイダーにより決定される他の任意の価格）を請求する常時オンのインターネット接続（ファイル共有やビデオストリーミング等の特定のアクティビティは許可されない）。
または、ｃ．ソーシャルメディアのプラットフォーム及び「バンドルアプリ」の形式の他の類似のアプリを含む類似のプラン。
【００４３】
別の実施形態では、契約者は、特定のウェブサイトを訪問したり、サーチエンジンを用いてクイック検索を行うためにブラウザーを利用することができる。上記の例と同様に、アプリは、ブラウジングを許可する既存のデータプランを契約者が有するか否かをチェックし、特定のプランを申し込むことをユーザに指示し、検索の継続を許可するよう構成されてもよい。あるいは、アプリは、検索結果に無料でアクセスすることを許可し、検索結果のリストから選択された検索結果に特有のデータプランを推薦するよう構成されてもよい。例えば、単純なＵＲＬのウェブリンクを契約者が選択した場合には、推薦されるプランは、ウェブリンクの内容に特有であってもよく、一般的なプランや＄０．２０で１日中ブラウジングできるプラン等の何かでもよい。契約者がＹｏｕｔｕｂｅ（登録商標）ビデオを選択した場合には、推薦されるプランは、例えば、１０回のＹｏｕｔｕｂｅ（登録商標）ビデオのストリーミング及びその後のアップのためのダウンロードやキャッシュ格納に対する＄０．２０または電気通信会社及び／又はサービスプロバイダーにより決定される他の価格のプラン、または、キャッシュされたＹｏｕｔｕｂｅ（登録商標）ビデオを２日以内にオフライン再生できる１時間のビデオストリーミングのプラン（１ビデオ当たり＄０．０５）、または、オフライン再生のために１週間以内でビデオをキャッシュ格納できる１日無制限のビデオストリーミング（＄０．９９）または電気通信会社及び／又はサービスプロバイダーにより決定される他の価格のプランであってもよい。
【００４４】
追加機能として、アプリは、以下の入力変数の１以上に基づいて対象のユーザー契約者に対する推薦を提供するよう構成されてもよい。
ｉ．以前の推薦における拒否／承諾の回数。
ｉｉ．特定のタイプのウェブリソースへのアクセス頻度。
ｉｉｉ．特定のタイプのウェブリソースへのアクセス継続時間。
【００４５】
上記の入力変数の非網羅的なリストは、低価格なアプリ固有のデータサービスプラン、バンドルされたデータサービスプランまたはハイブリッドタイプを含む他のタイプのデータサービスプランをユーザーが続ける可能性があるかを判定するために分析される。具体的には、契約者に承諾される可能性がより高いデータサービスプラン、または、契約者によるウェブリソースのアクセスの挙動により関連性があるデータサービスプランをアップセル又はマーケティング／推薦するために効果的なツールとして、入力変数が使用される。
【００４６】
入力変数の使用  −  「以前の推薦における拒否／承諾の回数」の例では、ウェブリソースに対する高頻度のアクセスに基づく推薦であるが、推薦したデータサービスプラン（例えば、１日当たりの固定額でＦａｃｅｂｏｏｋ（登録商標）にアクセス）をユーザー契約者が繰り返し拒否した場合には、データ通信するアプリ及び／又は任意のバックエンドシステムに、推薦したデータサービスプランはユーザー契約者が期待したものではないことが示され、例えば、Ｆａｃｅｂｏｏｋ（登録商標）に対するアクセス／他のウェブリソースを含む終日のネットサーフィンにおけるウェブリソースへの１日あたりのアクセスから、推薦に対して特定の微調整が加えられる必要がある。これらの微調整又はマイナーチェンジされたデータサービスプランはユーザー契約者に推薦され、拒否／承諾が将来の推薦のために記録される。
【００４７】
入力変数の使用  −  「特定のタイプのウェブリソースへのアクセス頻度及び継続時間」の例では、推薦したデータサービスプラン（例えば、Ｆａｃｅｂｏｏｋ（登録商標）の終日プラン）をユーザー契約者が拒否し続けるが、契約者が実際には幾つかの他のプランを購入して、主にＦａｃｅｂｏｏｋ（登録商標）にアクセスすると共に、外部のＵＲＬリンクや主に単なるニュースやネットサーフィン可能な対象物（ビデオストリーミングの視聴とは対照的）等の他のウェブリソースを訪れることが分かった場合には、特定の費用でネットサーフィンをプラスしたＦａｃｅｂｏｏｋ（登録商標）の終日プランが推薦される。
【００４８】
説明した実施形態に加えて、アプリは、サービスの購入をコミットする前の所定期間における無料トライアルで、想定された支払い済みのデータサービスをテストして使用することを契約者に許可する機能を含むよう構成されてもよい。
【００４９】
図２は、無料トライアルの論理フローを示す。例として、契約者ユーザーは、Ｇｏｏｇｌｅ（登録商標）Ｐｌａｙｓｔｏｒｅ（登録商標）からダウンロードされるアプリ等の特定のウェブサービスを起動する。前述したように、アプリは、ダウンロードされたアプリに固有の機能を許可するデータサービスプランをその人が有するかをチェックするよう構成される（ステップ２１０）。
ＹＥＳの場合には、ユーザーは開始が許可される。
ＮＯの場合には、アプリは更に、ユーザーがダウンロードしたか又はウェブリソース（ダウンロードしたアプリ）に初めてアクセス／使用したかを判定する（ステップ２２０）。
【００５０】
ユーザーがウェブリソースに初めてアクセスしたのではない場合には、ユーザーが「かなり長い間休止状態になっている？」か、またはその人が実際には常連のユーザーで何か新しく興味があるものかを確かめるべくアプリで単にチェックしたかどうか？を判定するために、アプリの最後の使用と最新のアクセスとの間の時間を計算する別のチェックが行われる（判定ステップ２３０を参照）。この場合も上記と同様に、より詳細な関連するユーザデータ、例えば、ユーザの不慣れさや積極さのレベルについてのより正確なデータのために、Ｆａｃｅｂｏｏｋ（登録商標）等のサービスプロバイダーとの深いレベルでの統合が理想である。
【００５１】
上記のチェックに基づいて、アプリでの初めてのユーザーアクセスである場合、または、ユーザーがかなり長い間休止状態となっている場合には、支払済みのデータサービスプランによるウェブリソースへのアクセスを継続するかどうかをユーザが決定するのに十分な、所定期間におけるウェブリソースに対するその後のアクセスについて無料トライアルがユーザーに推薦又は提案される（ステップ２４０）。期間の長さは、アプリのタイプに依存する。ゲームのアプリの場合には、１日か２日くらいの比較的短い期間の無料トライアルが提供されてもよい。ソーシャルネットワーキングのアプリやメッセンジャーのアプリの場合には、ダウンロードしたアプリの有用性を「確かめる」ためのネットワークを構築するのに十分な時間をユーザーに提供するために、無料トライアルは比較的長く（数カ月までいかなくとも数週間）なってもよい。
【００５２】
一方、契約者が常連のユーザーと判断された場合には、その人はウェブリソースの全てについて既に知っている。その人はおそらく、何か面白そうな「今日の出来事」が無いかを確かめるためにちょっとチェックしている。このようなシナリオでは、数分から約三十分くらいの無料トライアルの期間は、実質的に短いであろう（ステップ２５０）。前の段落に記載したように、許可された「短い無料トライアルの期間」の長さは、そのアプリ又はウェブサービスのタイプに依存する。
【００５３】
初めてのユーザーと常連のユーザーとの区別は、初めてのユーザーにその人のネットワークを構築させること、あるいはアプリ又はサービスをよく理解することが提供されるように、十分な時間を提供する。その人がアプリを好きか否かを評価するのに数日又は数週間かかる場合がある。常連のユーザーはしかし、アプリについてその人の関与レベルを高めるのにおそらく数分かかる。
【００５４】
ユーザーに提供する無料トライアルの期間を説明する例として、サービスプロバイダー／電気通信会社はソーシャルネットワークのプラットフォームのＦａｃｅｂｏｏｋ（登録商標）と提携してもよい。このような状況でアプリは、ユーザーが既にＦａｃｅｂｏｏｋ（登録商標）の会員であるか、その場合にはユーザーが活動しているかどうか、及び／又はより具体的にはユーザーがモバイルデバイスを介して活動しているかどうかを調べるためにアクセスできるようになる。Ｆａｃｅｂｏｏｋ（登録商標）によって提供される情報は、ユーザーによる将来的な購入の可能性の増大に導くようユーザーに提供される無料トライアルの最も適切な長さ及びタイプを決定するのに役立つであろう。
【００５５】
無料トライアルが終了すると（ステップ２６０）、１以上のデータサービスプランが特定のウェブリソースに対するその後のアクセスのために契約者に推薦される。
【００５６】
図３に示すように、本発明の別の実施形態によれば、モバイルの契約者に対する、データサービスプラン等の製品及びサービスの販売を促進するためのシステム１０がある。システム１０は、少なくとも１つのウェブリソースにアクセスするユーザーデバイス１４を監視し、ユーザーアクセスデータを生成するように構成されたウェブリソーストラフィックモニター１２と、前記アクセスデータを受信し、前記少なくとも１つのウェブリソースに対するその後のアクセスのために複数のデータサービスプランをモバイルの契約者に推薦する推薦エンジン又はデータサービスプランナー１６とを備える。
【００５７】
モバイルの契約者は、概してプリペイドの契約者である。複数のデータサービスプランは、特定期間毎に課金するデータサービスプラン及びアクション毎に課金するデータサービスプラン、又は上記の実施形態で説明したような任意の他のハイブリッドデータサービスを含んでもよく、更に詳細には述べない。
【００５８】
ウェブリソーストラフィックモニター１２は、ウェブリソースに対するユーザーデバイス１４のアクセスを監視するよう構成される。ウェブリソースは、ＵＲＬのリンク、ビデオ、ソーシャルメディアの通知等を含むが、これらに限定されない。また、ウェブリソーストラフィックモニター１２は、ユーザーデバイス１４からロケーションベース情報又はデータを受信するよう構成されてもよい。各契約者のために、ウェブリソーストラフィックモニター１２は、データサービスプランナー１６に受信されるアクセスデータを生成するよう構成される。
【００５９】
データサービスプランナー１６は、ウェブリソースモニター１２からのアクセスデータを受信し、取得したユーザーデバイス１４のアクセスデータに基づいてその後のウェブリソースに対するアクセスのために１以上の適切なデータサービスプランを契約者に推薦するよう動作可能である。取得したアクセスデータは、特定の期間又は時間フレームに対してユーザーデバイス１４によりアクセスされたウェブリソースのリストを含んでもよく、以下のような統計データを含んでもよい。
ｉ．以前のデータサービスプランの推薦における拒否／承諾の回数。
ｉｉ．特定のタイプのウェブリソースへのアクセス頻度。
ｉｉｉ．特定のタイプのウェブリソースへのアクセス継続時間。
【００６０】
上記の入力変数の非網羅的なリストは、低価格なアプリ固有のデータサービスプラン、バンドルされたデータサービスプランまたはハイブリッドタイプを含む他のタイプのデータサービスプランをユーザーが続ける可能性があるかを判定するために分析される。具体的には、契約者に承諾される可能性がより高いデータサービスプラン、または、契約者によるウェブリソースのアクセスの挙動により関連性があるデータサービスプランをアップセル又はマーケティング／推薦するために効果的なツールとして、入力変数が使用される。
【００６１】
入力変数の使用  −  「以前の推薦における拒否／承諾の回数」の例では、ウェブリソースに対する高頻度なアクセスに基づく推薦であるが、推薦したデータサービスプラン（例えば、１日当たりの固定額でＦａｃｅｂｏｏｋ（登録商標）にアクセス）をユーザー契約者が繰り返し拒否した場合には、データ通信するアプリ及び／又は任意のバックエンドシステムに、推薦したデータサービスプランはユーザー契約者が期待したものではないことが示され、例えば、Ｆａｃｅｂｏｏｋ（登録商標）に対するアクセス／他のウェブリソースを含む終日のネットサーフィンにおけるウェブリソースへの１日あたりのアクセスから、推薦に対して特定の微調整が加えられる必要がある。これらの微調整又はマイナーチェンジされたデータサービスプランはユーザー契約者に推薦され、拒否／承諾が将来の推薦のために記録される。
【００６２】
入力変数の使用  −  「特定のタイプのウェブリソースへのアクセス頻度及び継続時間」の例では、推薦したデータサービスプラン（例えば、Ｆａｃｅｂｏｏｋ（登録商標）の終日プラン）をユーザー契約者が拒否し続けるが、契約者が実際には幾つかの他のプランを購入して、主にＦａｃｅｂｏｏｋ（登録商標）にアクセスすると共に、外部のＵＲＬリンクや主に単なるニュースやネットサーフィン可能な対象物（ビデオストリーミングの視聴とは対照的）等の他のウェブリソースを訪れることが分かった場合には、特定の費用でネットサーフィンをプラスしたＦａｃｅｂｏｏｋ（登録商標）の終日プランが推薦される。
【００６３】
ウェブリソースモニター１２からアクセスデータを受信すると、データサービスプランナー１６は、前述の図１，２のプロセスに基づいてデータサービスプランを契約者に推薦する。
【００６４】
複数のソースからの構造化又は非構造化された形式の契約者データセットが大量なので、推薦エンジン１６は、ディープデータ又はビッグデータ分析処理を用いて、契約者に対する対象のデータサービスプランを作成するために必要な情報（入力変数）を得る。
【００６５】
システム１０は、モバイルネットワークオペレーターや通信事業者によってホストされてもよい。
【００６６】
ユーザーデバイス１４は、好ましくは携帯電話であってもよい。より好ましくは、コンピュータデバイス１４は、モバイルソフトウェアアプリケーション又は「アプリ」のインストールが可能なスマートフォンである。ウェブリソースにアクセスするために、コンピュータデバイス１４は、ＧＰＲＳ、Enhanced Data rates for GSM Evolution（ＥＤＧＥ）、３Ｇ、Ｗｉ−Ｆｉ、ＬＴＥ、４Ｇネットワーク等の種々のモバイルデータサービスを介してインターネットに接続可能である。
【００６７】
システム１０は、ネットワークオペレーターや通信事業者によってホストされてもよい。システム１０はまた、インターネットアクセス調整ファシリテーター２２とホワイトリスト２４と通信し、インターネットアクセス調整ファシリテーター１６と通信するよう構成されてもよい。インターネットアクセス調整ファシリテーター２２は、ためユーザーデバイス１４からインターネットアクセスを制御するホストへの要求を処理するよう構成される。この意味において、インターネットアクセス調整ファシリテーター２２は、インターネットへの接続のためのプロキシーサーバー内にある。要求は概して電子信号／メッセージの形式であり、ソフトウェアアプリケーションは上記目的のためにモバイルデバイス１４やパーソナルコンピュータ（ＰＣ）にインストールされる。調整ファシリテーター２２と通信する他の手段は、単純なテキストやショートメッセージサービス（ＳＭＳ）、非構造化付加サービスデータ（ＵＳＳＤ）メッセージや他の類似のメッセージサービスの形式であってもよい。
【００６８】
システム１０は、必要に応じて契約者データベース１８を備える。契約者データベース１８は、各契約者の携帯電話のモバイル加入者統合サービスデジタルネットワーク番号（ＭＳＩＳＤＮ）、及び契約者がプリペイドプランの満了日を含む上記プランの詳細と同様な任意のデータサービスプランの継続中であるか（可能であれば）等の、契約者の詳細を保持する。契約者データベース１８はまた、ユーザーデバイス１４の契約者が利用可能な資金の精算やチェックのための会計データベース２６とデータ通信してもよい。会計データベース２６はまた、各契約者のトランザクションの履歴を保持する。
【００６９】
ホワイトリスト２４は、インターネットアクセス調整ファシリテーター２２と通信する。ホワイトリスト２４は、通信事業者１２によって承認されたＵＲＬ、ＡＰＩ及び他のウェブサービスを含むウェブリソースのリストを保持する。これら承認されたＵＲＬやＡＰＩは、「無料通話」、すなわち、ユーザーデバイス１４による無料アクセスが利用できること、または、関係する電気通信ネットワーク１２のデータネットワークに基づく請求／課金の範囲内でのユーザが自由にアクセスすることが考慮される。ホワイトリスト２４は、インターネットアクセス調整ファシリテーター２２と通信する。
【００７０】
ホワイトリスト２４及びインターネットアクセス調整ファシリテーター２２は、上記の「無料アクセス」又は「無料通話」アクセスを実現するよう構成される。具体的には、上記の構成は、データ帯域幅接続をゼロ関税に設定し、または、ホワイトリスト２４内のウェブリソースがアクセスされた場合に課金インフラをオフにして、特定期間毎に課金するモデルを実装した課金インフラと、アクション毎に課金するモデルを実装した独立の課金モジュールとを切り替えることでサポートしてもよい。
【００７１】
上記の実施形態は単に本発明の例示として提供されており、以下に詳述するような更なる変更や改良は当業者にとって明らかであることが理解される。
【００７２】
・電話機のユーザーインターフェース全体、ブラウザーを含む任意のアプリ、ＧＰＳ機能の調整等の任意の機能、加速度計や電話機を再びアクティブにする単純なスワイプのような上記機能のトリガーを含む任意のアクティビティを、アプリの通知やクロスセルのためのストアフロントとして使用してもよい。例えば、スマートフォンは、任意の通知を表示するためにユーザによって「スワイプ」されてもよい。このようなスワイプのアクションは、種々のプリペイドのデータプランの「クロスセル」のための将来のトリガーとして使用してもよい。
【００７３】
・あるいは、サーチ結果のリターンを伴うサーチエンジン（例えば、Ｇｏｏｇｌｅ）へのアクセスを、プリペイドプラン及び関連するサービスの更なる推薦のストアフロントとして使用してもよい。このような場合には、サーチの結果は、データ料金なしで表示されるが、その後の任意の選択結果を、推薦されたプリペイドプランの購入を指示するトリガーとしてもよく、選択結果が「無料」ゾーン内（無料トライアルの期間等）に含まれない場合には請求してもよい。
【００７４】
・上記実施形態は、推薦を作成する様々な変数を規定するためにバックエンドの契約者データベースと通信する専用のソフトウェアアプリケーションを参照して説明してある。専用のソフトウェアアプリケーション（アプリ）がインストールされていない場合には、ユーザーが通信事業者からスマートフォンを購入する際にソフトウェア一式のうちの一部として提供される他の特定のバックグラウンドソフトウェアを介して契約者のアクションの監視が行われてもよく、通信事業者から開始されたテキスト／ＳＭＳメッセージの形式で推薦が行われる。
【００７５】
・また上記において、契約者のアクションの監視を、サービスプロバイダー（例えば、通信事業者）側又は電話のデバイス（「アプリ」を用いて）で行ってもよい。前者の状況では、契約者データベースへのアクセスを有するネットワークトラフィックの監視／具現化ツール又は帯域幅調整ファシリテーターの機能を実行する１以上のサーバーを介して監視を実装してもよい。これらサーバーは、サイト上又はクラウドアーキテクチャを介してホストされてもよい。
【００７６】
・別の変形例では、サービスプロバイダー（通信事業者）とデバイスの両方で同時に監視を行ってもよい。
【００７７】
・上記の実施形態では一般にユーザー契約者に提供されるデータサービスプランの例を示したが、動的に生成された特定の個人に適したデータサービスプランを利用可能であってもよく、１分単位の価格、視聴単位の価格、日時及び場所に応じた価格のような、より細かいレベルで定義されてもよい。
【００７８】
上述した特徴の変形及び組み合わせが、代替又は置換されず、本発明の意図する範囲内に入る更に別の実施形態と結合されてもよいことを、当業者に更に理解されるべきである。
【図１】
0006587629.tif 000002
【図２】
0006587629.tif 000003
【図３】
0006587629.tif 000004